(57)【要約】      （修正有）【課題】見栄えが良く高級感があり、不陸に良好に対応し、床の振動音を良好に吸収し、施工性および耐久性に優れ、かつ、製造効率に優れた巾木を提供する。【解決手段】巾木１０は、室内空間側の下端部に突出部１２を有する板状の本体１１と、突出部１２の壁側の面および本体１１の壁側の下端部１４に固着され、突出部１２よりも床面側に突出して該床面と当接する、可撓性の不陸対応部１５とを有する。好ましくは、本体１０は、木粉含有樹脂組成物で形成されている。好ましくは、本体１０と不陸対応部１５とは、共押し出しにより一体成形されている。【選択図】図１
2006125008.tif 000002
【特許請求の範囲】
【請求項１】
室内空間側の下端部に突出部を有する板状の本体と、
該突出部の壁側の面および該本体の壁側の下端部に固着され、該突出部よりも床面側に突出して該床面と当接する、可撓性の不陸対応部と
を有する、巾木。
【請求項２】
前記本体が、木粉含有樹脂組成物で形成されている、請求項１に記載の巾木。
【請求項３】
前記本体と前記不陸対応部とが、共押し出しにより一体成形されている、請求項１または２に記載の巾木。
【発明の詳細な説明】
【技術分野】
【０００１】
本発明は、巾木に関する。より詳細には、本発明は、見栄えが良く高級感があり、不陸に良好に対応し、床の振動音を良好に吸収し、施工性および耐久性に優れ、かつ、製造効率に優れた巾木に関する。
【背景技術】
【０００２】
従来より、建物（室内空間）の壁と床との取合部には、巾木が配設されることが多い。図３は、従来の巾木の施工状態を説明する断面図である。施工時には、巾木３０は、床材３２に接するようにして壁材３３の下端部に配設される。しかし、このような従来の巾木によれば、図３に示すように、床材３２に不陸が生じると、巾木３０と床材３２との間に隙間Ｓが生じやすいという問題がある。巾木の本来の目的は、床と壁面との隙間を隠すことであるが、床に不陸があると、巾木と床材との間に必ず隙間が生じてしまう。その結果、掃除が困難となり、埃が溜まりやすくなるので、衛生面でも問題がある。さらに、見栄えも悪い。
【０００３】
このような問題を解決するために、巾木本体に化粧シートが貼り付けられ、当該化粧シートの下端部が巾木本体の下端縁を超えて床材側まで延長され、当該延長された化粧シートの下端縁が床材に接して隙間を覆い隠す巾木が提案されている（特許文献１参照）。図４は、このような巾木の施工状態を説明する断面図である。図４に示すように、床材４２に不陸が生じた場合でも、巾木４０に貼り付けられた化粧シートの下端部４４が、巾木４０と床材４２との間の隙間Ｓを覆い隠している。しかし、このような巾木によれば、経年変化により床面に部分的な不陸や沈みが発生した場合（沈み量が均一でない場合）に問題が生じる。すなわち、化粧シートの下端部が室内空間に張り出しているので、隣り合う化粧シート同士の床面に垂直方向の継ぎ目に段差を生じることがあり、見栄えが非常に悪くなる。
【０００４】
一方、上記のような見栄えの悪さを防止しようとする巾木が提案されている（特許文献２参照）。図５（ａ）は、このような巾木の不陸発生時の状態を説明する断面図であり、図５（ｂ）は、別の形態による巾木の断面図である。図５（ａ）の巾木によれば、巾木５０の本体５１の下端部に長手方向に延びる窪み５５が形成され、当該窪みにおける本体５１の室内側端部に溝５６が形成されている。溝５６には、軟質合成樹脂からなる帯状の不陸調節片５７が固着される。施工時には、不陸調節片５７は、その下端部が壁面側に向くように固着され、室内側に出ないようにされている。また、図５（ｂ）の巾木は、本体５１と不陸調節片５７とが一体成形されている。
【０００５】
しかし、上記のような巾木は、次のような問題を有する。図５（ａ）の巾木は、不陸調節片を溝に接着剤で固着しなければならないので、製造効率が悪く、室内環境の面からも好ましくない。図５（ｂ）の巾木は、スチレンや塩化ビニルの硬質組成物と軟質組成物とを一体成形するので、高級感に乏しく、特に住宅用の巾木としては許容不可能である。加えて、図５（ａ）および（ｂ）の巾木はいずれも、不陸調節片が非常に柔らかいので耐久性に問題がある。
【特許文献１】特開平１１―３２４３００号公報
【特許文献２】特開平９−４９３１３号公報
【０００６】
以上のように、見栄えが良く高級感があり、不陸に対応し、耐久性に優れ、かつ、製造効率に優れた巾木が強く望まれている。
【発明の開示】
【発明が解決しようとする課題】
【０００７】
本発明は、上記従来の課題を解決するためになされたものであり、その目的とするところは、見栄えが良く高級感があり、不陸に良好に対応し、床の振動音を良好に吸収し、施工性および耐久性に優れ、かつ、製造効率に優れた巾木を提供することにある。
【課題を解決するための手段】
【０００８】
本発明の巾木は、室内空間側の下端部に突出部を有する板状の本体と；該突出部の壁側の面および該本体の壁側の下端部に固着され、該突出部よりも床面側に突出して該床面と当接する、可撓性の不陸対応部とを有する。
【０００９】
好ましい実施形態においては、上記本体は、木粉含有樹脂組成物で形成されている。
【００１０】
好ましい実施形態においては、上記本体と上記不陸対応部とは、共押し出しにより一体成形されている。
【発明の効果】
【００１１】
本発明によれば、巾木本体と不陸対応部とを本体の２つの面（すなわち、突出部の壁側の面および本体の壁側下端面）で固着することにより、巾木本体と不陸対応部とが非常に強固に固着する。その結果、非常に優れた耐久性を有する巾木が得られる。好ましい実施形態においては、巾木本体は木粉含有樹脂組成物から形成される。木粉含有樹脂組成物を用いることにより、巾木本体と不陸対応部とが接着剤を用いることなく非常に強固に固着する。したがって、室内環境に悪影響を与えることがなく、かつ非常に優れた耐久性を有する巾木が得られる。加えて、見栄えがよく高級感を有する巾木が得られる。本発明の巾木は、巾木本体と不陸対応部とが非常に強固に固着しているので、施工性にも優れる。好ましい実施形態においては、巾木本体と不陸対応部とは共押出により一体成形される。その結果、接着剤が不要となり、室内環境に悪影響を与えることがなく、かつ非常に優れた耐久性を有する巾木が得られる。加えて、製造効率にも優れる。さらに、床材と巾木の経時変化に対しても、長期的に追従し得る。
【発明を実施するための最良の形態】
【００１２】
以下、本発明の好ましい実施形態について図面を参照して説明するが、本発明はこれらの実施形態には限定されない。
【００１３】
図１（ａ）は、本発明の好ましい実施形態による巾木の施工前の状態を説明する概略断面図であり、図１（ｂ）は、その施工状態を説明する概略断面図である。図２は、本発明の好ましい実施形態による巾木の施工状態を説明する概略斜視図である。図２に示すように、この巾木１０は、建物（室内空間、居住空間）の壁２１と床２２との間に設けられ、人間の足などが当たるところの損傷や汚染を防止する。
【００１４】
巾木１０は、壁２１の下辺に沿って延びる略板状の部材であり、本体１１を含む。本体１１は、室内空間側の下端部において、下方（床側）に突出する突出部１２を有する。本体１１には、不陸対応部１５が固着されている。より詳細には、不陸対応部１５は、上記突出部１２の壁２１側の面１３および本体１１の壁側の下端部１４と固着されている。このように２つの面で固着することにより、固着力が非常に強くなり、その結果、非常に優れた耐久性を有する巾木が得られる。不陸対応部１５は、突出部１２よりも下方（床側）に突出して床面２２と当接する。不陸対応部１５は、可撓性を有し、経年変化による床２２の不陸や沈みに良好に対応して床２２との間に隙間が生じるのを防止し、かつ、床を歩いた際の振動音を良好に吸収する。好ましくは、不陸対応部１５は、前方（室内空間側）または後方（壁側）に少しだけ撓んだ状態で施工される。不陸対応部１５は、前方に撓んだ状態で施工される場合には、下端部に向かうにしたがって後方部分の厚みが減少するような断面形状（例えば、図１に示すような刀の先端部のような形状、または、台形形状）を有することが好ましい。一方、後方に撓んだ状態で施工される場合には、下端部に向かうにしたがって前方部分の厚みが減少するような断面形状を有することが好ましい。このような下端部形状を採用することにより、不陸対応部の弾性率を小さくして柔らかくしすぎることなく（結果として、耐久性を低下させることなく）、床のうねり等に良好に追随し、隙間の発生を防止することができる。より具体的には、施工の際、巾木を適切に床に押し付けることにより、不陸対応部が不陸に沿って隙間を埋めることが可能となる。
【００１５】
本発明の巾木においては、不陸対応部１５の壁２１に接触し得る面１６は、本体１１の壁２１に接触し得る面１７と、実質的に同一平面をなす（いわゆる「面一（つらいち）」である）ことが好ましい。このことにより、本発明の巾木が実際に施工された場合、面１６および面１７の両方が壁２１に接触し得る。その結果、不陸対応部１５と本体１１との固着を補助することとなるので、さらに優れた耐久性を有する巾木が得られ得る。さらに、施工にあたっては、上記面１６および上記面１７の両方に、必要に応じて任意の適切な接着剤を均一に塗布することができるので、面１７のみに接着剤を塗布する場合に比べて、壁２１に対する接着強度をさらに向上させることができる。加えて、このような構成を有する場合には、不陸対応部１５が床２２に対して若干押圧された状態で施工された際に、面１６は、壁２１に対してより間隙なく緊密に接触し得る。したがって、施工後長期間が経過し、不陸対応部１５を構成する材料（後述）が仮に劣化してその可撓性を失ったとしても、不陸対応部１５が部分的に撓むこともなく、外観上所望されない部分的なシワの形成も防止することができる。
【００１６】
本体１１に用いられる材料としては、目的に応じて任意の適切な材料が採用され得る。本体１１の材料の代表例としては、木粉含有樹脂組成物、合成樹脂、天然木、金属が挙げられる。本発明の巾木を居住空間に用いる場合には、木粉含有樹脂組成物が好ましい。実際の天然木のような質感を有して高級感があり、かつ、接着剤を用いることなく不陸対応部を固着することが可能となるからである。木粉含有樹脂組成物中の木粉としては、例えば、松、杉、ひのき、ツガなどの天然木の製材過程で発生する廃材、建築廃材、間伐材、おが粉などを微粉化した木粉が挙げられる。これらの木粉は、好ましくは乾燥状態、さらに好ましくは絶乾状態で用いられる。これらの木粉は、単独で、または組み合わせて用いられる。木粉含有樹脂組成物中の木粉の量は、好ましくは１０〜７０重量％、さらに好ましくは２０〜５０重量％である。
【００１７】
木粉含有樹脂組成物中の樹脂は、熱可塑性樹脂でもよく熱硬化性樹脂でもよい。樹脂は単独で含有されてもよく、２種以上が含有されてもよい。樹脂は、好ましくは熱可塑性樹脂であり、さらに好ましくはＡＢＳ樹脂である。ＡＢＳ樹脂は以下の利点を有する：（１）優れた強度を有する、（２）巾木本体の表面の木質感が高くなる、（３）成形性に優れるので、本体の端部がシャープに成形され得、かつ、細かい押出し成形が可能である、ならびに、（４）接着剤を用いることなく、不陸対応部をきわめて強固に固着することができるので、結果として、室内環境に悪影響を与えることが少なく、かつ、耐久性に優れた巾木が得られる。
【００１８】
上記木粉含有樹脂組成物は、本発明の効果に影響を与えない範囲内で、任意の適切な添加剤（例えば、抗菌剤、殺菌剤、防藻剤、褪色防止剤、難燃剤）をさらに含有し得る。添加剤の種類および量は、目的に応じて適宜設定され得る。
【００１９】
天然木の代表例としては、松、杉、ひのき、ツガ、カリン、タモ、ニレ、サクラ、ケヤキが挙げられる。天然木は高価であるため、一般的には合板として用いられる。
【００２０】
金属の代表例としては、スチール、アルミニウム、銅が挙げられる。金属の場合、例えば、引抜成形またはプレス成形される。
【００２１】
合成樹脂は、熱可塑性樹脂であってもよく熱硬化性樹脂であってもよい。熱可塑性樹脂が好ましい。熱可塑性樹脂の場合は、一般的には押出し成形される。
【００２２】
上記のように、不陸対応部は可撓性を有し、経年変化による床２２の不陸や沈みに良好に対応して床２２との間に隙間が生じるのを防止し、かつ、床を歩いた際の振動音を良好に吸収する。不陸対応部は、十分な耐久性を有する程度に強度が高く、かつ、床のうねり等に追随可能な程度に柔軟性を有することが好ましい。例えば、このような強度と柔軟性との両立は、不陸対応部の厚みを調整することにより実現され得る。具体的には、不陸対応部の厚みは、好ましくは１〜４ｍｍ、さらに好ましくは２〜３ｍｍである。厚みが１ｍｍ未満の場合には、耐久性が不十分となる場合が多い。厚みが４ｍｍを超えると、床のうねり等に対する追随性が不十分となる場合が多い。このような強度と柔軟性とを兼備する限りにおいて、不陸対応部を構成する材料として任意の適切な材料が採用され得るが、好ましくは熱可塑性エラストマー（ＴＰＥ）である。巾木本体（特に、木粉含有樹脂組成物から形成された本体）との固着性にきわめて優れるからである。ＴＰＥの代表例としては、スチレン系ＴＰＥ（ＳＢＣ）、オレフィン系ＴＰＥ（ＴＰＯ）、塩化ビニル系ＴＰＥ（ＴＰＶＣ）、ウレタン系ＴＰＥ（ＴＰＵ）、ポリエステル系ＴＰＥ（ＴＰＥＥ）、およびアミド系ＴＰＥ（ＴＰＡＥ）が挙げられる。特に好ましいＴＰＥは、スチレン系ＴＰＥである。
【００２３】
好ましくは、上記本体１１と上記不陸対応部１５とは、共押し出しにより一体成形されている。特に、本体が木粉含有樹脂組成物から形成されている場合には、本体と不陸対応部とが、接着剤を用いることなく非常に強固に固着し得る。その結果、室内環境に悪影響を与えず、高級感を有し、耐久性に優れた巾木が得られる。
【産業上の利用可能性】
【００２４】
本発明によれば、見栄えが良く高級感があり、不陸に良好に対応し、床の振動音を良好に吸収し、施工性および耐久性に優れ、かつ、製造効率に優れた巾木が提供される。
【図面の簡単な説明】
【００２５】
【図１】（ａ）は、本発明の好ましい実施形態による巾木の施工前の状態を説明する概略断面図であり、（ｂ）は、その施工状態を説明する概略断面図である。
【図２】本発明の好ましい実施形態による巾木の施工状態を説明する概略斜視図である。
【図３】従来の巾木の施工状態を説明する断面図である。
【図４】従来の巾木の施工状態を説明する断面図である。
【図５】（ａ）は、従来の巾木の不陸発生時の状態を説明する断面図であり、（ｂ）は、別の形態による従来の巾木の断面図である。
【符号の説明】
【００２６】
１０  巾木
１１  本体
１５  不陸対応部
２１  壁
２２  床
【図１】
2006125008.tif 000003
【図２】
2006125008.tif 000004
【図３】
2006125008.tif 000005
【図４】
2006125008.tif 000006
【図５】
2006125008.tif 000007